【手続補正書】
【提出日】平成28年8月31日(2016.8.31)
【手続補正１】
【補正対象書類名】明細書
【補正対象項目名】発明の名称
【補正方法】変更
【補正の内容】
【発明の名称】画像形成装置及びその制御方法並びにプログラム
【手続補正２】
【補正対象書類名】明細書
【補正対象項目名】０００１
【補正方法】変更
【補正の内容】
【０００１】
本発明は、ウェブブラウザを有し、ネットワークに接続可能な画像形成装置及びその制御方法並びにプログラムに関する。
【手続補正３】
【補正対象書類名】明細書
【補正対象項目名】０００６
【補正方法】変更
【補正の内容】
【０００６】
本発明は、画像形成装置に接続された印刷制御装置等の周辺機器のウェブ操作部を、画像形成装置に搭載されたウェブブラウザのお気に入り等に手動で登録することを必要とすることなく使用可能とする画像形成装置及びその制御方法並びにプログラムを提供することを目的とする。
【手続補正４】
【補正対象書類名】明細書
【補正対象項目名】０００７
【補正方法】変更
【補正の内容】
【０００７】
本発明に係る画像形成装置は、印刷制御装置と接続可能な画像形成装置であって、前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定手段と、前記特定手段により特定された前記ＵＲＬを記憶する記憶手段と、前記記憶手段に前記特定されたＵＲＬが記憶されていない場合は、複数のアイコンを操作部において表示し、前記記憶手段に前記特定されたＵＲＬが記憶されている場合は、複数のアイコンを前記操作部において表示し、且つ、前記特定されたＵＲＬに対応するアイコンを前記操作部において表示する表示制御手段と、を有することを特徴とする。
【手続補正５】
【補正対象書類名】明細書
【補正対象項目名】０００８
【補正方法】変更
【補正の内容】
【０００８】
本発明に係る別の画像形成装置は、Ｗｅｂブラウジング機能を有し、印刷制御装置と接続可能な画像形成装置であって、前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定手段と、前記特定手段により特定された前記ＵＲＬを前記Ｗｅｂブラウジング機能で使用するブックマークとして登録する登録手段と、前記ブックマークとして登録されたＵＲＬを選択するための画面を表示する表示手段と、を有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、画像形成装置に接続された印刷制御装置等の周辺機器のウェブ操作部が、画像形成装置に搭載されたウェブブラウザのお気に入り等に手動で登録することを必要とすることなく使用可能になる。
【手続補正９】
【補正対象書類名】明細書
【補正対象項目名】００３０
【補正方法】変更
【補正の内容】
【００３０】
ＰＤＬジョブ制御部４０１、ウェブサーバ４０２及びＰＤＬインタフェース部４０３はそれぞれ、メモリ２０２に展開され、プログラムから呼び出されてＣＰＵ２０１で実行される。ＰＤＬジョブ制御部４０１は、クライアントコンピュータ１０１からの印刷ジョブの受信、展開処理、ＰＤＬインタフェース部４０３への指示、画像データの送信等の処理と制御を行う。ＰＤＬインタフェース部４０３は、ＭＦＰ１０３との間で接続認証、ステータスの送受信、ジョブの投入、画像データの送信と同期を行う。ウェブサーバ４０２は、ＰＤＬコントローラ１０２の設定プログラムの実行とＰＤＬコントローラ１０２内の印刷ジョブの表示と再印刷を行う。また、ウェブサーバ４０２は、削除プログラムやキャリブレーションプログラム、画像位置調整プログラムを配置し、ウェブブラウザ４０４からのアクセスに応じて所定のプログラムを実行する。
【手続補正１０】
【補正対象書類名】明細書
【補正対象項目名】００４４
【補正方法】変更
【補正の内容】
【００４４】
ハードボタンがなく、タッチパネルのみの接続を示す特定の値になっている場合（Ｓ７０２でＹＥＳ）、本処理は終了となる。ハードスイッチが特定の値に設定されていない場合（Ｓ７０２でＮＯ）、ステップＳ７０３において、ＭＦＰインタフェース部４０５は、ステップＳ６０２で認証したＰＤＬコントローラ認証コードの値を調べ、特定の範囲にあるかどうか否かを判定する。具体的には、ＰＤＬコントローラ１０２は機種毎に認証コードを持っており、ウェブ操作部を使用するＰＤＬコントローラ１０２の機種は開発元で決まるため、認証コードが特定の開発元に割り当てられている範囲のものか否かを調べる。
【手続補正１１】
【補正対象書類名】明細書
【補正対象項目名】００７２
【補正方法】変更
【補正の内容】
【００７２】
自動登録数制限ボタン１２０４は、ＰＤＬコントローラ１０２がウェブブラウザ４０４のお気に入りに自動登録させることができるウェブ操作部の数を制限するボタンである。自動登録数制限ボタン１２０４がＯｎのとき、制限数入力ボタン１２０５に登録可能数を入力することができ、ここでは、３つが設定されている。なお、制限数入力ボタン１２０５には、ウェブブラウザ４０４のお気に入りに登録可能なウェブ操作部の最大数を超える数は設定することができないようになっている。
【手続補正１２】
【補正対象書類名】特許請求の範囲
【補正対象項目名】全文
【補正方法】変更
【補正の内容】
【特許請求の範囲】
【請求項１】
印刷制御装置と接続可能な画像形成装置であって、
前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定手段と、
前記特定手段により特定された前記ＵＲＬを記憶する記憶手段と、
前記記憶手段に前記特定されたＵＲＬが記憶されていない場合は、複数のアイコンを操作部において表示し、前記記憶手段に前記特定されたＵＲＬが記憶されている場合は、複数のアイコンを前記操作部において表示し、且つ、前記特定されたＵＲＬに対応するアイコンを前記操作部において表示する表示制御手段と、を有することを特徴とする画像形成装置。
【請求項２】
前記表示制御手段は、前記特定されたＵＲＬに対応するアイコンがユーザにより選択されたことに基づいて、前記特定されたＵＲＬに対応する前記印刷制御装置のＷｅｂページを受信し、当該Ｗｅｂページを表示することを特徴とする請求項１に記載の画像形成装置。
【請求項３】
前記印刷制御装置と前記画像形成装置は、有線ケーブルを使用して１対１で配線されることを特徴とする請求項１又は２に記載の画像形成装置。
【請求項４】
前記画像形成装置に印刷制御装置が接続されたか否かを判断する判断手段を更に有することを特徴とする請求項１乃至３のいずれか１項に記載の画像形成装置。
【請求項５】
前記判断手段は、前記画像形成装置に接続された印刷制御装置が特定の種類の印刷制御コントローラであると検知した場合は、前記印刷制御装置が接続されていると判断し、前記画像形成装置に接続された印刷制御装置が特定の種類の印刷制御コントローラでないと検知した場合は、前記印刷制御装置が接続されていないと判断することを特徴とする請求項４に記載の画像形成装置。
【請求項６】
前記判断手段は、前記画像形成装置に接続された印刷制御装置から認証コードを受信し、当該認証コードが所定の範囲内に含まれるか否かに応じて前記特定の種類の印刷コントローラであるか否かを検知することを特徴とする請求項５に記載の画像形成装置。
【請求項７】
前記認証コードは、印刷制御装置の機種ごとに割り当てられたコードであることを特徴とする請求項６に記載の画像形成装置。
【請求項８】
前記判断手段は、更に、前記画像形成装置に対して特定の値が設定されている場合は、前記印刷制御装置と前記画像形成装置が有線ケーブルを使用して１対１で配線されている場合であっても、前記画像形成装置に印刷制御装置が接続されていないと判断することを特徴とする請求項４に記載の画像形成装置。
【請求項９】
前記記憶手段は前記特定されたＵＲＬに対応付けて前記印刷制御装置の名称を記憶し、
前記表示制御手段は、前記操作部において、前記特定されたＵＲＬに対応するアイコンと共に、前記名称を表示することを特徴とする請求項１乃至８のいずれか１項に記載の画像形成装置。
【請求項１０】
前記特定手段は、ユーザからＩＰアドレス又はＵＲＬの入力を受け付けることなく、前記印刷制御装置のＩＰアドレスを含むＵＲＬを特定することを特徴とする請求項１乃至９のいずれか１項に記載の画像形成装置。
【請求項１１】
前記特定手段は、少なくとも前記画像形成装置に予め記憶されている所定の文字列と前記ＩＰアドレスとを組み合わせて前記印刷制御装置のＩＰアドレスを含むＵＲＬを特定することを特徴とする請求項１乃至１０のいずれか１項に記載の画像形成装置。
【請求項１２】
前記印刷制御装置から受信した印刷データに基づいて、シートに画像を印刷する印刷手段を更に有することを特徴とする請求項１乃至１１のいずれか１項に記載の画像形成装置。
【請求項１３】
前記記憶手段は、前記特定されたＵＲＬを前記画像形成装置が有するＷｅｂブラウザのブックマークとして記憶することを特徴とする請求項１乃至１２のいずれか１項に記載の画像形成装置。
【請求項１４】
前記表示制御手段は、前記記憶手段に前記特定されたＵＲＬが記憶されていない場合は、前記複数のアイコンの中から１つの機能を選択可能なユーザインタフェースを前記操作部に表示するよう制御し、前記記憶手段に前記特定されたＵＲＬが記憶されている場合は、前記複数のアイコンと前記特定されたＵＲＬに対応するアイコンとを含む複数のアイコンの中から１つの機能を選択可能なユーザインタフェースを前記操作部に表示するよう制御することを特徴とする請求項１乃至１３のいずれか１項に記載の画像形成装置。
【請求項１５】
前記ユーザインタフェースには、少なくとも前記画像形成装置が備えるコピー機能を選択するためのアイコンが表示されることを特徴とする請求項１４に記載の画像形成装置。
【請求項１６】
Ｗｅｂブラウジング機能を有し、印刷制御装置と接続可能な画像形成装置であって、
前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定手段と、
前記特定手段により特定された前記ＵＲＬを前記Ｗｅｂブラウジング機能で使用するブックマークとして登録する登録手段と、
前記ブックマークとして登録されたＵＲＬを選択するための画面を表示する表示手段と、を有することを特徴とする画像形成装置。
【請求項１７】
印刷制御装置と接続可能な画像形成装置の制御方法であって、
前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定ステップと、
前記特定ステップにおいて特定された前記ＵＲＬをメモリに記憶する記憶ステップと、
前記メモリに前記特定されたＵＲＬが記憶されていない場合は、複数のアイコンを操作部において表示し、前記メモリに前記特定されたＵＲＬが記憶されている場合は、複数のアイコンを前記操作部において表示し、且つ、前記特定されたＵＲＬに対応するアイコンを前記操作部において表示する表示制御ステップと、を有することを特徴とする制御方法。
【請求項１８】
Ｗｅｂブラウジング機能を有し、印刷制御装置と接続可能な画像形成装置の制御方法であって、
前記画像形成装置に接続された印刷制御装置のＩＰ（Ｉｎｔｅｒｎｅｔ  Ｐｒｏｔｏｃｏｌ）アドレスを含むＵＲＬ（Ｕｎｉｆｏｒｍ  Ｒｅｓｏｕｒｓｅ  Ｌｏｃａｔｅｒ）を特定する特定ステップと、
前記特定ステップにおいて特定された前記ＵＲＬを前記Ｗｅｂブラウジング機能で使用するブックマークとして登録する登録ステップと、
前記ブックマークとして登録されたＵＲＬを選択するための画面を表示部に表示する表示ステップと、を有することを特徴とする制御方法。
【請求項１９】
請求項１７又は１８に記載の画像形成装置の制御方法をコンピュータに実行させるためのプログラム。